(57)【要約】【課題】立体感を向上して毛束を展示できる毛束展示具を提供する。【解決手段】展示具３０は、毛束１０の長さが下端保持スリット５３から挿通孔４４までの長さＬ１１と上端保持部４３から挿通孔４４までの長さＬ１２とを足した長さである保持部間長さよりも長く、毛束１０のうち保持部間長さよりも長い部分を表片４０の表側に出すことにより、毛束１０を表片４０の表面から浮いた状態で展示する。【選択図】図２
2016142826.tif 000002
【特許請求の範囲】
【請求項１】
毛束を板部材の表面で展示する毛束展示具であって、
毛束を通す挿通孔又は切り欠きである毛束通し部を有する表片と、
前記表片に対して折り部によって接続され、毛束を通す挿通孔であり毛束の一端を保持する一端保持部を有する裏片と、
前記表片及び前記裏片の少なくとも１つから突出し、毛束の他端を保持する他端保持部を有し、この毛束展示具を前記板部材に取り付ける部分である突出部とを備え、
前記表片及び前記裏片を前記折り部で折った状態である折り状態において、毛束の長さは、前記一端保持部から前記毛束通し部までの長さと、前記他端保持部から前記毛束通し部までの長さとを足した長さである保持部間長さよりも長く、
折り状態において、
毛束の一端を、前記裏片の前記一端保持部を通し、前記表片及び前記裏片に挟み込んだ状態で保持し、
毛束を、前記毛束通し部を通し、
毛束の他端を、前記突出部の前記他端保持部で保持し、
毛束のうち前記保持部間長さよりも長い部分を前記表片の表側に出すことにより、毛束を前記表片の表面から浮いた状態で展示すること、
を特徴とする毛束展示具。
【請求項２】
請求項１に記載の毛束展示具において、
表側において、毛束の一端側が前記毛束通し部によって導かれる方向と、毛束の他端側が前記他端保持部によって導かれる方向とは交差していること、
を特徴とする毛束展示具。
【請求項３】
毛束を板部材の表面で展示する毛束展示具であって、
本体部と、
本体部に設けられ、毛束を通す挿通孔又は切り欠きである毛束通し部と、
前記本体部の裏側で毛束の一端を保持する一端保持部と、
前記本体部から突出し、毛束の他端を保持する他端保持部を有し、この毛束展示具を前記板部材に取り付ける部分である突出部とを備え、
毛束の長さは、前記一端保持部から前記毛束通し部までの長さと、前記他端保持部から前記毛束通し部までの長さとを足した長さである保持部間長さよりも長く、
毛束の一端を、前記一端保持部で保持し、
毛束を、前記毛束通し部を通し、
毛束の他端を、前記突出部の前記他端保持部で保持し、
毛束のうち前記保持部間長さよりも長い部分を前記本体部の表側に出すことにより、毛束を前記本体部の表面から浮いた状態で展示し、
前記本体部の表側において、毛束の一端側が前記毛束通し部によって導かれる方向と、毛束の他端側が前記他端保持部によって導かれる方向とは交差していること、
を特徴とする毛束展示具。
【請求項４】
請求項１から請求項３のいずれかに記載の毛束展示具において、
前記突出部は、前記板部材の裏側で保持されること、
を特徴とする毛束展示具。
【請求項５】
請求項１から請求項３のいずれかに記載の毛束展示具において、
前記突出部は、前記板部材の表側で保持されること、
を特徴とする毛束展示具。
【請求項６】
毛束を装着する板状の毛束展示具であって、
毛束を通す挿通孔又は切り欠きである毛束通し部と、
裏側で毛束の一端を保持する一端保持部と、
毛束の他端を保持する他端保持部とを備え、
毛束の長さは、前記一端保持部から前記毛束通し部までの長さと、前記他端保持部から前記毛束通し部までの長さとを足した長さである保持部間長さよりも長く、
毛束の一端を、前記一端保持部で保持し、
毛束を、前記毛束通し部を通し、
毛束の他端を、前記他端保持部で保持し、
毛束のうち前記保持部間長さよりも長い部分をこの毛束展示具の表側に出すことにより、毛束をこの毛束展示具の表面から浮いた状態で展示し、
表側において、毛束の一端側が前記毛束通し部によって導かれる方向と、毛束の他端側が前記他端保持部によって導かれる方向とは交差していること、
を特徴とする毛束展示具。
【発明の詳細な説明】
【技術分野】
【０００１】
本発明は、毛束を展示する毛束展示具に関するものである。
【背景技術】
【０００２】
従来、毛束を展示する毛髪化粧料用陳列トレイがあった（例えば特許文献１）。
しかし、従来の毛髪化粧料用陳列トレイは、毛束の展示状態の立体感が乏しかった。
【先行技術文献】
【特許文献】
【０００３】
【特許文献１】特開２００８−３３３４０号公報
【発明の概要】
【発明が解決しようとする課題】
【０００４】
本発明の課題は、立体感を向上して毛束を展示できる毛束展示具を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、毛束（１０）を板部材（２０，４２０）の表面で展示する毛束展示具（３０，２３０）であって、毛束を通す挿通孔又は切り欠きである毛束通し部（４４，２４４）を有する表片（４０，２４０）と、前記表片に対して折り部（３１）によって接続され、毛束を通す挿通孔であり毛束の一端（１１）を保持する一端保持部（５３）を有する裏片（５０，２５０）と、前記表片及び前記裏片の少なくとも１つから突出し、毛束の他端（１２）を保持する他端保持部（４３，２４３）を有し、この毛束展示具を前記板部材に取り付ける部分である突出部（４２，２４３）とを備え、前記表片及び前記裏片を前記折り部で折った状態である折り状態において、毛束の長さは、前記一端保持部から前記毛束通し部までの長さ（Ｌ１１）と、前記他端保持部から前記毛束通し部までの長さ（Ｌ１２）とを足した長さである保持部間長さよりも長く、折り状態において、毛束の一端を、前記裏片の前記一端保持部を通し、前記表片及び前記裏片に挟み込んだ状態で保持し、毛束を、前記毛束通し部を通し、毛束の他端を、前記突出部の前記他端保持部で保持し、毛束のうち前記保持部間長さよりも長い部分を前記表片の表側に出すことにより、毛束を前記表片の表面から浮いた状態で展示すること、を特徴とする毛束展示具である。
・第２の発明は、第１の発明の毛束展示具において、表側において、毛束（１０）の一端側（１１）が前記毛束通し部（４４，２４４）によって導かれる方向（Ｇ４４）と、毛束の他端側（１２）が前記他端保持部（４３，２４３）によって導かれる方向（Ｇ４３）とは交差していること、を特徴とする毛束展示具である。
・第３の発明は、毛束を板部材の表面で展示する毛束展示具（３３０）であって、本体部（４１）と、本体部に設けられ、毛束（１０）を通す挿通孔又は切り欠きである毛束通し部（４４）と、前記本体部の裏側で毛束の一端（１１）を保持する一端保持部（３５３）と、前記本体部から突出し、毛束の他端（１２）を保持する他端保持部（４３）を有し、この毛束展示具を前記板部材に取り付ける部分である突出部（４２）とを備え、毛束の長さは、前記一端保持部から前記毛束通し部までの長さ（Ｌ１１）と、前記他端保持部から前記毛束通し部までの長さとを足した長さ（Ｌ１２）である保持部間長さよりも長く、毛束の一端を、前記一端保持部で保持し、毛束を、前記毛束通し部を通し、毛束の他端を、前記突出部の前記他端保持部で保持し、毛束のうち前記保持部間長さよりも長い部分を前記本体部の表側に出すことにより、毛束を前記本体部の表面から浮いた状態で展示し、前記本体部の表側において、毛束の一端側が前記毛束通し部によって導かれる方向（Ｇ４４）と、毛束の他端側が前記他端保持部によって導かれる方向（Ｇ４３）とは交差していること、を特徴とする毛束展示具である。
・第４の発明は、第１から第３のいずれかの発明の毛束展示具において、前記突出部（４２）は、前記板部材（２０）の裏側で保持されること、を特徴とする毛束展示具である。
・第５の発明は、第１から第３のいずれかの発明の毛束展示具において、前記突出部（４２）は、前記板部材（４２０）の表側で保持されること、を特徴とする毛束展示具である。
・第６の発明は、毛束（１０）を装着する板状の毛束展示具（５２０）であって、毛束を通す挿通孔又は切り欠きである毛束通し部（５４４）と、裏側で毛束の一端（１１）を保持する一端保持部（５５３）、毛束の他端（１２）を保持する他端保持部（５４３）とを備え、毛束の長さは、前記一端保持部から前記毛束通し部までの長さ（Ｌ１１）と、前記他端保持部から前記毛束通し部までの長さ（Ｌ１２）とを足した長さである保持部間長さよりも長く、毛束の一端を、前記一端保持部で保持し、毛束を、前記毛束通し部を通し、毛束の他端を、前記他端保持部で保持し、毛束のうち前記保持部間長さよりも長い部分をこの毛束展示具の表側に出すことにより、毛束をこの毛束展示具の表面から浮いた状態で展示し、表側において、毛束の一端側が前記毛束通し部によって導かれる方向（Ｇ４４）と、毛束の他端側が前記他端保持部によって導かれる方向（Ｇ４３）とは交差していること、を特徴とする毛束展示具である。
【発明の効果】
【０００７】
本発明によれば、立体感を向上して毛束を展示できる。
【図面の簡単な説明】
【０００８】
【図１】第１実施形態の毛束展示システム１の展示状態の斜視図である。
【図２】第１実施形態の展示具３０を示す図である。
【図３】第１実施形態の展示具３０の表示板２０への取り付け構造６０を表示板２０の裏面側（奥側Ｙ２）から見た斜視図である。
【図４】第２実施形態の展示具２３０を示す図である。
【図５】第３実施形態の展示具３３０を示す図である。
【図６】第４実施形態の毛束展示システム４０１の展示状態の斜視図である。
【図７】第５実施形態の毛束展示システム５０１の展示状態の斜視図である。
【図８】第５実施形態の表示板５２０を裏面から見た図である。
【発明を実施するための形態】
【０００９】
以下、図面等を参照して、本発明の実施形態について説明する。
（第１実施形態）
以下、図面等を参照して、本発明の第１実施形態について説明する。
図１は、第１実施形態の毛束展示システム１の展示状態の斜視図である。
図２は、第１実施形態の展示具３０を示す図である。
図２（Ａ１）、図２（Ａ２）は、展開状態を示す図（展開図）である。
図２（Ｂ１）、図２（Ｂ２）は、折り状態を示す図である。
実施形態、図面では、説明と理解を容易にするために、ＸＹＺ直交座標系、ＡＢＣ直交座標系を設けて説明する。
ＸＹＺ直交座標系は、毛束展示システム１の展示状態（図１の状態）を基準に、左右方向Ｘ（左側Ｘ１、右側Ｘ２）、奥行方向Ｙ（手前側Ｙ１、奥側Ｙ２）、鉛直方向Ｚ（下側Ｚ１、上側Ｚ２）を表す。手前側Ｙ１は、毛束展示システム１の表側である。
ＡＢＣ直交座標系は、展示具３０の展開状態（図２（Ａ１）の状態）を基準に、左右方向Ａ（左側Ａ１、右側Ａ２）、縦方向Ｂ（下側Ｂ１、上側Ｂ２）、厚さ方向Ｃ（裏面側Ｃ１、表面側Ｃ２）を表す。ＡＢＣ直交座標系は、図１、図２の両方に図示した。
なお、実施形態では、適宜、毛束１０を毛束展示システム１に展示した状態を「展示状態」という。また、適宜、展示具３０を開いた状態を「展開状態」といい、２つ折りした状態を「折り状態」という。
【００１０】
毛束展示システム１は、店舗において、商品である毛染剤等の陳列棚、陳列トレイ等に設置される。毛束展示システム１が展示する毛束１０は、染め具合、手触り等の見本である。
毛束１０の両端は、平止めされている。つまり、毛束１０の両端は、複数本の毛のサンプルが、毛が延びる方向（毛の中心軸方向）とは直交する方向に、平らに束ねられている。
【００１１】
毛束展示システム１は、表示板２０（板部材）、展示具３０（毛束展示具）を備える。
表示板２０は、商品の陳列棚等の先端に取り付けられる。表示板２０の表面（板面）には、商品の情報が印刷等によって表示されている。表示板２０は、手前側Ｙ１に至る程、下側Ｚ１に至るように傾斜している。なお、表示板２０は、陳列棚等に着脱可能である形態に限定されず、陳列棚等と一体型であってもよい。
【００１２】
図２に示すように、展示具３０は、毛束１０を表示板２０に装着するものである。展示具３０は、紙材、樹脂シート等によって形成される。
展示具３０は、表片４０、裏片５０を備える。裏片５０、表片４０は、折り部３１によって、２つ折り可能に接続されている。つまり、展示具３０は、１枚のシート材に折り部３１を加工したものである。折り部３１は、例えば、押罫、ミシン目等である。裏片５０の外形は、表片４０よりも小さい。このため、折り状態の展示具３０を上面側から見ると、裏片５０の全体が表片４０に覆われる（図２（Ｂ１）参照）。
【００１３】
表片４０は、展示時において、表側（手前側Ｙ１）に配置される部分である（図１参照）。
表片４０は、本体部４１、突出部４２、挿通孔４４（毛束通し部）を備える。
本体部４１は、表片４０の本体である。本体部４１の上面は、訴求部を備える。訴求部は、商品の説明等が印刷された部分である。なお、図面には、訴求部の印刷等の図示を省略した。
突出部４２は、上側Ｂ２（外側）に向けて腕状に突出した部分である。なお、突出部４２は、折り状態においても、上側Ｂ２に突出している。
【００１４】
突出部４２は、上端部に上端保持部４３（他端保持部）を備える。
上端保持部４３は、毛束１０の上端１２（他端）を保持する部分である。また、後述するように、上端保持部４３が表示板２０の裏面に取り付けられることにより、展示具３０は、表示板２０に取り付けられる（図３参照）。
上端保持部４３は、毛束１０を下側Ｂ１に向けて延びるように保持する。このため、毛束１０が上端保持部４３によって導かれる方向である上端側導き方向Ｇ４３（他端側導き方向）は、下側Ｂ１である。
【００１５】
挿通孔４４は、本体部４１に設けられている。毛束１０を、表片４０の上面及び下面間で通す孔である。
挿通孔４４の外形は、毛束１０の断面に対応した形状であり、つまり、長方形又はほぼ長方形である。
挿通孔４４は、上端保持部４３の縦方向Ｂに平行な中心線Ｃ４３よりも、右側Ａ２にずれた位置に配置されている。挿通孔４４の短手方向に平行な中心線Ｃ４４と、上端側導き方向Ｇ４３とは、平行ではなく、つまり、交差している。
【００１６】
裏片５０は、展示時において、裏側（奥側Ｙ２）に配置される部分である（図１参照）。
裏片５０は、下端保持スリット５３（一端保持部）を備える。
下端保持スリット５３は、毛束１０を通すスリット（挿通孔）であり、毛束１０の下端１１（一端）を保持する。なお、下端保持スリット５３は、その一端を裏片５０の外形に繋げた切り込みでもよい。
【００１７】
展開状態において、下端保持スリット５３の長手方向と、挿通孔４４の長手方向と、折り線の方向とは、互いに平行である。このため、折り状態においても、これらは、互いに平行である。
また、下端保持スリット５３の長手方向に直交する方向の中心線Ｃ５３と、挿通孔４４の短手方向に平行な中心線Ｃ４４とは、一致又はほぼ一致する。
【００１８】
折り状態において、下端保持スリット５３は、挿通孔４４よりも左側Ａ１（内側）かつ上側Ｂ２に配置される。このため、毛束１０が下端保持スリット５３及び挿通孔４４に導かれる方向である下端側導き方向Ｇ４４（一端側導き方向）は、右側Ａ２（外側）かつ下側Ｂ１の方向、つまり、斜め下側の方向である。
挿通孔４４の中心線Ｃ４４と、上端保持部４３の中心線Ｃ４３とは、交差している。中心線Ｃ４３，Ｃ４４がなす角θは、挿通孔４４が上端保持部４３から離れる方向に、鈍角であり、例えば１３５°程度である。上端側導き方向Ｇ４３、下端側導き方向Ｇ４４がなす角も、なす角θと同じ角度である。
【００１９】
（毛束１０の展示具３０への取り付け方法）
作業者（店舗の店員等）は、以下の工程に従って、毛束１０を展示具３０へ取り付けできる。なお、以下の工程の順序は一例であり、取り付け方法は、最終的に図２（Ｂ１）、図２（Ｂ２）の形態になればよい。
（１）毛束１０を表片４０の上面側に配置した状態で、上端保持部４３の上部を折り部４３ａで折る（図２（Ａ１）に示す矢印Ｆ１参照）。上端保持部４３は、折られた状態を、粘着テープ３５等によって保持される。これにより、毛束１０の上端１２は、上端保持部４３に挟み込まれて保持される。
（２）毛束１０の下端１１を、挿通孔４４を、上面から下面に向けて通す。
（３）毛束１０の下端１１を、裏片５０の上面側に配置し、その後、下端保持スリット５３を、上面から下面に向けて通す。
（４）毛束１０の下端１１を、粘着テープ３６等を用いて、裏片５０の下面に保持する。
【００２０】
以上により、毛束１０は、展開状態の展示具３０へ取り付けられた状態となる。
なお、展開状態において、表片４０の突出部４２の上端保持部４３から裏片５０の下端保持スリット５３までの長さＬ１は、毛束１０の長さよりも短い。このため、作業者は、展示具３０の展開状態を維持し、かつ、展示具３０を大きく撓ませたりすることなく、毛束１０を展示具３０に取り付け可能である。また、作業者は、毛束１０の両端を、上端保持部４３及び下端保持スリット５３に保持することにより、位置ズレなく取り付けできる。
このため、毛束１０を展開状態の展示具３０へ取り付ける作業は、容易である。
【００２１】
（５）その後、表片４０、裏片５０を、これらの下面が向かい合うように折り部３１で折って２つ折りにすることにより、展示具３０を折り状態に変形する（図２（Ｂ１）に示す矢印Ｆ２参照）。
（６）裏片５０を表片４０に粘着テープ３７等で貼り付ける。これにより、展示具３０は、折り状態を維持できる。
以上により、毛束１０は、折り状態の展示具３０に取り付けられた状態となる。
【００２２】
（折り状態の作用、効果）
展示具３０は、折り状態では、以下のような作用、効果を奏する。
（１）図２（Ｂ２）に示すように、毛束１０の長さは、挿通孔４４から下端保持スリット５３までの長さＬ１１と、突出部４２の上端保持部４３から挿通孔４４までの長さＬ１２とを足した長さ（保持部間長さ）よりも長い。
このため、毛束１０の余剰部分を表片４０の上面側に配置すると、表片４０の上端保持部４３から挿通孔４４までの範囲において、毛束１０が上面側に湾曲するように、表片４０から浮き上がる。これにより、展示具３０は、立体的に毛束１０を配置できる。
【００２３】
（２）左右方向Ａから見ると、毛束１０は、挿通孔４４から上面側に出た直後では下端側導き方向Ｇ４４（斜め下側）に導かれる。このため、毛束１０は、挿通孔４４から上面側に出た直後では、一旦、上端保持部４３から離れる方向に導かれる。毛束１０は、その後に、上端保持部４３に向けて導かれるように配置される。
このため、毛束１０は、上記（１）のように湾曲する場合において、半径が大きな円弧を描くように湾曲する形態になる（図１参照）。これにより、展示具３０は、毛束１０をより立体的に配置でき、また、毛束１０のボリューム感を向上できる。
【００２４】
（３）上面側から見た場合にも、上記（２）と同様に、毛束１０は、挿通孔４４から出た直後に上端保持部４３から離れる方向に導かれた後に、上端保持部４３に向けて導かれる。このため、左右方向Ａにおいても、毛束１０は、大きく湾曲する。これにより、展示具３０は、毛束１０のボリューム感を向上できる。
【００２５】
（４）挿通孔４４から上端保持部４３の中央付近において、毛束１０は、左右方向Ａに大きく広がる態様が確認できた（図２（Ｂ１）に示す広がり部１５参照）。このように広がる理由は、上端側導き方向Ｇ４３及び下端側導き方向Ｇ４４が交差するため等と考えられる。
（５）毛束１０の下端１１は、表片４０、裏片５０間に挟まれた状態であるので、外部に露出しない。このため、毛束１０の下端１１を目隠しできるので、折り状態の展示具３０を裏面から見ても、外観がよい。
【００２６】
これらの作用、効果は、実際に試作品を作製することにより、確認した。
また、毛束１０は、上端保持部４３、下端保持スリット５３によって保持されることにより、上記形態を安定して維持できる。さらに、毛束１０は、手触り等の確認のために触られた後にも、上記形態に復元できた。
【００２７】
（展示具３０の表示板２０への取り付け構造６０）
図３は、第１実施形態の展示具３０の表示板２０への取り付け構造６０を表示板２０の裏面側（奥側Ｙ２）から見た斜視図である。
図３（Ａ）は、取り付け構造６０の分解斜視図である。図３（Ａ）は、展示具３０、毛束１０の一部を破断して示した。
図３（Ｂ）は、展示具３０を表示板２０に取り付けた状態の斜視図である。
【００２８】
毛束展示システム１は、展示具３０を表示板２０に取り付ける構造として、挿通孔６１、取り付け壁６２、取り付け具６３を備える。
挿通孔６１は、表示板２０に設けられた貫通孔である。挿通孔６１は、毛束１０を保持した展示具３０の突出部４２が、表示板２０の表面から裏面に向けて挿通される（図１参照）。
取り付け壁６２は、表示板２０の裏面に設けられた壁である。取り付け壁６２は、展示具３０の上端保持部４３の三方を囲むように配置されている。
取り付け具６３は、毛束１０の上端１２を、取り付け具６３と表示板２０の裏面との間に挟み込むように、毛束１０を表示板２０に取り付ける。取り付け具６３の断面形状は、Ｕ字状である。取り付け具６３は、その爪６３ａが、取り付け壁６２の孔６２ａに嵌合することにより、取り付け壁６２に取り付けられる。
表示板２０の裏面、取り付け具６３の裏面には、向かい合うように２つの鋸状の歯６４，６５が設けられている。このため、歯６４，６５が上端保持部４３に食い込むことにより、展示具３０は、表示板２０に強固に保持される。
展示具３０は、上記構成によって表示板２０に取り付けられ、展示状態にされる。
【００２９】
（展示状態の作用、効果）
展示具３０は、展示状態では、以下のような作用、効果を奏する。
（１）図１に示すように、本体部４１は、突出部４２によって、表示板２０の表面から浮いた状態である。
このため、表片４０の表面の訴求部が目立ち、訴求効果を向上できる。
（２）展示具３０は、毛束１０の配置に関して、展示状態においても、前述した折り状態と同様な作用、効果を奏する。このため、毛束１０を立体感、ボリューム感がある態様で展示できる。さらに、展示された毛束１０の美観がよい。
【００３０】
（３）毛束１０は、立体的に展示されるので、来店者等は、毛束１０及び表片４０の間に人差し指等を入れることができる。このため、来店者等は、人差し指及び親指等で、毛束１０の手触り等の質感を確認できる。
なお、毛束１０が表片４０から浮いた高さは、成人の人差し指が入る程度（例えば１０ｍｍ程度）がよい。この高さは、毛束１０の長さ、保持間長さ等を設定することにより実現可能である。
【００３１】
（４）展示された毛束１０は、来店者等に引っ張られてしまう場合がある。ここで、毛束１０の下端１１は、下端保持スリット５３に挿入され、かつ、表片４０及び裏片５０の間に挟まれて、展示具３０に対して強固に保持される。また、毛束１０の上端１２は、上記取り付け構造６０によって、展示具３０に対して強固に保持される。
このため、このような場合でも、毛束１０は、展示具３０から脱落してしまうことを抑制できる。
（５）展示具３０は、来店者等によって裏返されてしまう場合がある。この場合でも、下端は、表片４０、裏片５０に挟まれているため、外部に露出しないので、美観がよい。
【００３２】
以上説明したように、本実施形態の展示具３０は、毛束１０を立体的、かつ、ボリューム感を向上した態様で展示できる。
【００３３】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図４は、第２実施形態の展示具２３０を示す図である。
図４（Ａ）は、展開状態を示す図（展開図）である。
図４（Ｂ）は、折り状態を示す図である。
【００３４】
展示具２３０の突出部２４２は、表片２４０からではなく、裏片２５０から右側Ａ２に突出するように設けられている。
展示具２３０の折り状態において、突出部２４２は、表片２４０の本体部４１から上側Ｂ２に突出するように配置される。このため、展示具２３０の折り状態において、突出部２４２が配置される位置、外形は、第１実施形態と同様である。
毛束１０の上端１２は、展示具２３０を折り状態に変形した状態で、突出部２４２の上端保持部２４３に保持すればよい。
【００３５】
また、展示具２３０の通し部は、挿通孔ではなく、表片２４０の本体部４１に設けられた切り欠き２４４である。この場合でも、毛束１０は、切り欠き２４４を通されることにより、展示具２３０の折り込み状態において、下端側導き方向Ｇ４４に導かれる。
【００３６】
上記構成により、展示具２３０は、折り状態において、毛束１０を、第１実施形態と同様に導くことができるため、毛束１０の配置について、第１実施形態と同様な効果を奏する。
図示は省略するが、展示具２３０を展示板に装着された状態についても、第１実施形態と同様である。
なお、突出部は、表片２４０、裏片の両方に設けてもよい。この場合には、例えば、展示具２３０の折り状態において、両者の突出部の外形が、一致するようにすればよい。
【００３７】
（第３実施形態）
図５は、第３実施形態の展示具３３０を示す図である。
図５（Ａ）は、上面側（表面側）から見た図である。
図５（Ｂ）は、下面側（裏面側）から見た図である。
展示具３３０は、第１実施形態から裏片を削除した形態である。つまり、展示具３３０は、折り部を備えず、また、第１実施形態の表片と同様な形状のシート材によって形成される。
毛束１０の下端１１は、本体部４１の下面の保持領域に、粘着テープ３５３等（下端保持部）によって保持される。なお、保持領域の外形線は、作業時の目印のために、印刷等を設けてもよい。
上記構成によっても、展示具３３０は、折り状態において、毛束１０を、第１実施形態と同様に導くことができるため、毛束１０の配置について、第１実施形態と同様な効果を奏する。
【００３８】
（第４実施形態）
図６は、第４実施形態の毛束展示システム４０１の展示状態の斜視図である。
毛束展示システム４０１は、展示具３０の表示板２０への取り付け構造４６０を表示板４２０の表側の面に設けた。
取り付け構造４６０は、第１実施形態と同様である。
毛束展示システム４０１は、展示具３０を、表示板４２０の表側から取り付けることができるため、展示具３０の取り付け時の作業性がよい。
【００３９】
（第５実施形態）
図７は、第５実施形態の毛束展示システム５０１の展示状態の斜視図である。
図８は、第５実施形態の表示板５２０を裏面から見た図である。
図７に示すように、毛束展示システム５０１は、板状の表示板５２０に、毛束１０を直接取り付けるものである。つまり、毛束展示システム５０１は、表示板５２０自体を、毛束展示具として用いる。
図７、図８に示すように、表示板５２０は、挿通孔５６１、上端保持部５４３（他端保持部）、挿通孔５４４、下端保持部５５３を備える。
挿通孔５６１は、毛束１０の上端側を、表示板５２０の表面及び裏面間で通す。
上端保持部５４３は、挿通孔５６１を通した毛束１０の上端１２を、表示板５２０の裏面に取り付ける粘着テープ等である。
挿通孔５４４は、毛束１０の下端側を、表示板５２０の表面及び裏面間で通す。
下端保持部５５３は、挿通孔５４４を通した毛束１０の下端１１を、表示板５２０の裏面に取り付ける粘着テープ等である。
【００４０】
表示板５２０を表面から見た状態における上端保持部５４３、挿通孔５４４、下端保持部５５３の相対位置（図８（Ａ）、図８（Ｂ）参照）は、第１実施形態の展示具３０を上面から見た状態における上端保持部４３、挿通孔４４、下端保持スリット５３の相対位置（図２（Ｂ１）、図２（Ｂ２）参照）と同様である。
このため、表示板５２０が毛束１０を配置する形態は、第１実施形態の展示具３０が毛束１０を配置する形態と同様である。
【００４１】
これにより、毛束展示システム５０１は、毛束１０を展示した状態において、第１実施形態の展示状態と同様な作用、効果を奏する。
なお、上端保持部５４３（他端保持部）、下端保持部５５３は、粘着テープ等に限定されず、例えば、第１実施形態の取り付け構造６０と同様な構造であってもよい。
【００４２】
以上、本発明の実施形態について説明したが、本発明は前述した実施形態に限定されるものではなく、種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態は、適宜組み合わせて用いることもできるが、詳細な説明は省略する。
【符号の説明】
【００４３】
１，４０１，５０１…毛束展示システム
１０…毛束
１１…下端
１２…上端
１５…広がり部
２０，４２０，５２０…表示板
３０，２３０，３３０…展示具
３１…折り部
３５，３６，３７…粘着テープ
４０，２４０…表片
４１…本体部
４２，２４２…突出部
４３，２４３…上端保持部
４３ａ…折り部
４４…挿通孔
５０，２５０…裏片
５３…下端保持スリット
６０，４６０…取り付け構造
６１…挿通孔
６２…取り付け壁
６３…取り付け具
３５３…粘着テープ
５４３…上端保持部
５４４…挿通孔
５５３…下端保持部
５６１…挿通孔
【図１】
2016142826.tif 000003
【図２】
2016142826.tif 000004
【図３】
2016142826.tif 000005
【図４】
2016142826.tif 000006
【図５】
2016142826.tif 000007
【図６】
2016142826.tif 000008
【図７】
2016142826.tif 000009
【図８】
2016142826.tif 000010